(57)【要約】【課題】  機器本体の装飾性を高めることを課題とし、嵩張らず、重量を増さず、安価で美麗に機器本体に被着可能な携帯電子機器の外装用カバーを提供する。【解決手段】  紙，合皮等の薄い化粧シートを基材とし、接着剤を離型紙で覆って化粧シートの裏面側に備えた積層シートとし、積層シートを機器本体の外表面に合わせて型取り裁断し、離型紙を剥し取って表装用，裏装用の化粧シートを機器本体の外表面に接着剤で被着可能に形成した。【選択図】    図２
0003173994.tif 000002
【実用新案登録請求の範囲】
【請求項１】
携帯電話，携帯端末機等を含む携帯電子機器の外装用カバーであって、紙，合皮等の薄い化粧シートを基材とし、接着剤乃至は粘着剤を離型紙で覆って化粧シートの裏面側に備えた積層シートとし、前記積層シートを機器本体の外表面に合わせて型取り形成し、前記離型紙を剥し取って化粧シートを機器本体の外表面に接着剤乃至は粘着剤で被着可能に形成したことを特徴とする携帯電子機器の外装用カバー。
【請求項２】
積層シートを表装用と裏装用に分け、表装用は機器本体の表示画面に相応する切欠窓、機器本体のホームボタン等の各ボタン部、ヘッドフォンジャック、コネクタ、内蔵スピーカー、マイク等の各機能部に相応する開孔を含め、機器本体の前面から側面、側面の縁寄り裏面に亘る面積形状に合わせて型取り形成すると共に、機器本体の前面と側面との境目、側面と側面の縁寄り裏面との境目に合わせて折曲げ線を設け、裏装用は機器本体の残る裏面形状に合わせて型取り形成し、表装用は機器本体の前面，側面，側面の縁寄り裏面に折曲げ線で曲げ込んで接着剤乃至は粘着剤で被着可能に形成したことを特徴とする請求項１に記載の携帯電子機器の外装用カバー。  
【考案の詳細な説明】
【技術分野】
【０００１】
本考案は、携帯電話，携帯端末機等を含む携帯電子機器の外装用カバーに関する。
【背景技術】
【０００２】
従来、携帯電子機器の外装用としては、機器本体を出し入れし或いは機器本体に常時装着するタイプのケースやカバーが既存する。既存のケースやカバーは、主に、機器本体の損傷等を防ぐ保護用として備え付けられている（特許文献１〜３参照）。
【特許文献１】特開平８−２９３６８２
【特許文献２】特開２００１−３３７７４２
【特許文献３】実用新案登録第３０９５２８６号
【考案の開示】
【考案が解決しようとする課題】
【０００３】
上述した携帯電子機器は、機種によって外装形態が一様に決められているのが通常である。その機器本体の外装形態を好みに応じて変えたくても、既存のケースやカバーでは機器本体の装飾性を向上するものとしては適さない。また、これらは所持品として嵩張ったり、重量を増す傾向がある。
【０００４】
本考案は、機器本体の装飾性を高めることを課題とし、嵩張らず、重量を増さず、安価で美麗な携帯電子機器の外装用カバーを提供することを目的とする。
【課題を解決するための手段】
【０００５】
本考案は、紙，合皮等の薄い化粧シートを基材とし、接着剤乃至は粘着剤を離型紙で覆って化粧シートの裏面側に備えた積層シートとし、前記積層シートを機器本体の外表面に合わせて型取り形成し、前記離型紙を剥し取って化粧シートを機器本体の外表面に接着剤乃至は粘着剤で被着可能に形成したものである。
【０００６】
携帯端末機器用としては、積層シートを表装用と裏装用に分け、表装用は機器本体の表示画面に相応する切欠窓、機器本体のホームボタン等の各ボタン部、ヘッドフォンジャック、コネクタ、内蔵スピーカー、マイク等の各機能部に相応する開孔を含め、機器本体の前面から側面、側面の縁寄り裏面に亘る面積形状に合わせて型取り形成すると共に、機器本体の前面と側面との境目、側面と側面の縁寄り裏面との境目に合わせて折曲げ線を設け、裏装用は機器本体の残る裏面形状に合わせて型取り形成し、表装用は機器本体の前面，側面，側面の縁寄り裏面に折曲げ線で曲げ込んで接着剤乃至は粘着剤で被着可能に形成されている。
【０００７】
本考案の課題解決手段によっては、化粧シートを機器本体の外表面に接着剤乃至は粘着剤で被着することにより、携帯電子機器の機種に応じて一様の外装形態を化粧シートによる好みに合った装飾面に容易に変えられる。また、薄い化粧シートを機器本体の外表面に接着剤で被着するだけであるから、機器本体として嵩張ったり、重量を増すのも避けられる。
【０００８】
携帯端末機器用による作用は、次の通りである。
化粧シートは、表装用と裏装用に分けて機器本体の外表面に被着するため、化粧シートを機器本体の外表面全体に容易に被着できる。また、機器本体の表示画面を切欠窓で覆わず、機器本体の各ボタン部を含む機能部を開孔で外部に露呈するため、機器本体の操作性に支障を来たさない。表装用は機器本体の前面，側面，側面の縁寄り裏面に折曲げ線で曲げ込んで接着剤乃至は粘着剤で被着し、裏装用は機器本体の残る裏面形状に合わせて被着することから、表装用と裏装用の境目が機器本体の外郭線に沿って現れず、化粧シートの剥離や皺、浮きが生じないで美麗に被着できる。
【考案の効果】
【０００９】
上述したように本考案に係る携帯電子機器の外装用カバーでは、携帯電子機器の機種に応じて一様の外装形態を化粧シートによる好みに合った装飾面に容易に変えられ、薄い化粧シートを機器本体の外表面に接着剤で被着するだけであるから、機器本体として嵩張ったり、重量を増すのも避けられる。
【００１０】
携帯端末機用では、化粧シートを表装用と裏装用に分け、表装用は機器本体の前面，側面，側面の縁寄り裏面に折曲げ線で曲げ込んで接着剤乃至は粘着剤で被着し、裏装用は機器本体の残る裏面形状に合わせて被着することから、表装用と裏装用の境目が機器本体の外郭線に沿って現れず、化粧シートの剥離や皺、浮きが生じないで美麗に被着できる。
【考案を実施するための最良の形態】
【００１１】
以下、本考案の実施の形態を図１〜図５に基づいて説明する。
【００１２】
図１においては、携帯電子機器の外装用カバーを形成する積層シートを示す。この積層シートは、紙，合皮，その他薄手の素材でなる化粧シート１を基材とし、接着剤乃至は粘着剤２を化粧シート１の裏面側に備えると共に、接着剤乃至は粘着剤２を離型紙３で覆うことにより構成されている。
【００１３】
化粧シート１には、種々の着色，格子模様のような模様をプレス成型することにより、装飾性を付与するようにできる。接着剤乃至は粘着剤２（以下、「接着剤」と略称する。）としては、化粧シート１を取り換えるよう剥す際に、機器本体の外表面に残存せずに剥離可能な材質のものが好ましい。
【００１４】
その積層シートは、図２、図３で示すように機器本体の外表面に合わせて型取り形成されている。また、離型紙３を剥し取って化粧シート１を機器本体の外表面に接着剤２で被着可能に形成されている。
【００１５】
図２、図３においては、携帯端末機用の外装用カバーを示す。その外装カバーは、積層シートを表装用１ａと裏装用１ｂに分けて形成されている。
【００１６】
表装用１ａは、図２で示すように機器本体の面積形状に合わせて前面部１０ａ、前面部１０ａから側面部１０ｂ〜１０ｅに亘り、側面部１０ｂ〜１０ｅから側面部の縁寄り裏面部１０ｆ〜１０ｉに亘るよう型取り形成されている。この各部のうち、前面部１０ａには機器本体の表示画面に相応する切欠窓１１、音声スピーカーに相応する開孔１２ａ、ホームボタンに相応する開孔１２ｂが型取り形成されている。
【００１７】
表装用１ａの側面部１０ｂ〜１０ｅは、機器本体の厚みに相応する幅を持つよう形成されている。側面部１０ｂ〜１０ｅには、オン・オフスイッチ、サウンドオン・オフボタン、音量調節ボタン、ヘッドフォンジャック、コネクタ、内蔵スピーカー、マイク等の各機能部に相応する開孔１２ｃ〜１２ｊが型取り形成されている。
【００１８】
側面部１０ｂ〜１０ｅの端部から延長させて、機器本体のコーナー面に亘る舌片部１０ｊ〜１０ｎが型取り形成されている。このうち、舌片部１０ｊ、１０ｌ、１０ｍに対しては、各先端が整合する切欠凹部１０ｏ〜１０ｐが型取り形成されている。舌片部１０ｋ、１０ｎは、開孔１２ｄ、１２ｈを近傍に設ける関係から、両者によりコーナー面に亘るよう型取り形成されている。
【００１９】
側面部縁寄り裏面部１０ｆ〜１０ｉは、機器本体の裏面側に亘る細長な台形状に型取り形成されている。各台形の両端部には、後述する裏装側１ｂの舌片部を被着可能に間隔が保たれている。これに加えて、前面部１０ａと側面部１０ｂ〜１０ｅとの境目、側面部１０ｂ〜１０ｅと側面縁寄り裏面部１０ｆ〜１０ｉとの境目に合わせて折曲げ線１３ａ〜１３ｈがミシン目状に付設されている。
【００２０】
裏装用１ｂは、図３で示すように表装用１ａの側面縁寄り裏面部１０ｆ〜１０ｉを被着する機器本体の残る裏面形状に合わせて型取り形成されている。裏装用１ｂには、台形の両端部に保った間隔に被着する舌片部１４ａ〜１４ｄが本体部の角部より外方に伸びるよう型取り形成されている。このうち、舌片部１４ｄは機器本体のカメラ、フラッシュ部を覆わないよう短く形成されている。
【００２１】
このように構成する外装用シートでは、離型紙３を剥し取って表装用１ａ，裏装用１ｂの化粧シートを機器本体の外表面に接着剤２で被着可能に形成されている。その被着に際し、表装用１ａ，裏装用１ｂに分けて個々に機器本体の外表面に被着するため、機器本体の外表面全体に容易に被着できる。
【００２２】
表装用１ａは、図４で示すように機器本体４の表示画面４０を切欠窓２２で覆わず、機器本体４の各ボタン部を含む機能部４１〜４５を開孔１２ａ，１２ｂで外部に露呈するため、機器本体の操作性に支障を来たさない。特に、表装用１ａは機器本体の前面，側面，側面の縁寄り裏面に折曲げ線１３ａ〜１３ｈで曲げ込んで被着するため、面積が大きくても容易に被着できる。
【００２３】
裏装用１ｂは、図５で示すように機器本体の残る裏面形状に合わせて被着すればよい。その際、機器本体のカメラ、フラッシュ部４６は舌片部１４ｄで覆われない。また、表装用１ａを機器本体の前面，側面，側面の縁寄り裏面に折曲げ線１３ａ〜１３ｈで曲げ込んで被着するため、表装用１ａと裏装用１ｂの境目が機器本体の外郭線に沿って現れず、化粧シート１の剥離や皺、浮きが生じないで美麗に被着できる。
【００２４】
上述した実施の形態は、特定の機種に合わせて説明したが、機種が異なれば、外装用シートの型取り形状や切欠窓，開孔の形状，位置は適宜変更できる。
【図面の簡単な説明】
【００２５】
【図１】本考案に係る携帯電子機器の外装用カバーを形成する積層シートの説明図である。
【図２】図１の外装用カバーとして表装用を展開した平面で示す説明図である。
【図３】図１の外装用カバーとして裏装用を平面で示す説明図である。
【図４】図１の外装用カバーを機器本体に被着した携帯電子機器を表面側で示す説明図である。
【図５】図１の外装用カバーを機器本体に被着した携帯電子機器を裏面側で示す説明図である。
【符号の説明】
【００２６】
１          化粧シート
１ａ        表装用
１ｂ        裏装用  
２          接着剤乃至は粘着剤
３          離型紙
１１        切欠窓
１２ａ…    開孔
１３ａ…    折曲げ線
４          機器本体
４０        表示画面
４１…      操作ボタン
【図１】
0003173994.tif 000003
【図２】
0003173994.tif 000004
【図３】
0003173994.tif 000005
【図４】
0003173994.tif 000006
【図５】
0003173994.tif 000007